(57)【要約】【課題】ベースユニットを、テストヘッド本体の両側方向からスライド可能にして、テストヘッド本体に搭載することができるテストヘッドを実現する。【解決手段】ベースユニットがテストヘッド本体の昇降部に設けられたガイド部にスライドして取り付けられるテストヘッドにおいて、前記テストヘッド本体に前記ガイド部に対向して設けられ所定角度回動することによってベースユニットの挿入をガイドするあるいはベースユニットの挿入をストップするガイド・ストップ手段を具備したことを特徴とするテストヘッドである。【選択図】図１
2010169399.tif 000002
【特許請求の範囲】
【請求項１】
ベースユニットがテストヘッド本体の昇降部に設けられたガイド部にスライドして取り付けられるテストヘッドにおいて、
前記テストヘッド本体に前記ガイド部に対向して設けられ所定角度回動することによってベースユニットの挿入をガイドするあるいはベースユニットの挿入をストップするガイド・ストップ手段
を具備したことを特徴とするテストヘッド。
【請求項２】
前記ガイド・ストップ手段は、
前記テストヘッド本体に設けられたシャフト孔に一端側が回転自由に挿入された支持シャフトと、
前記昇降部のガイド部に対向して設けられこの支持シャフトの他端に一端面が接続され他端面が前記ベースユニットのガイド面となる柱状のガイド部と、
このガイド面より突出して設けられ前記ベースユニットのストッパとなる半月状の突起部と、
前記ガイド部の前記一端面に設けられ前記昇降部に設けられたピンが挿入される位置規正孔と
を具備したことを特徴とする請求項１記載のテストヘッド。
【請求項３】
前記テストヘッド本体と前記ガイド部とに設けられ前記ガイド部の回動位置をサポートするサポート手段を
を具備したことを特徴とする請求項１又は請求項２記載のテストヘッド。
【請求項４】
前記サポート手段は、前記ガイド部の前記突起部が設けられた箇所と反対側の周側面に設けられた平面状のサポート面と、
このサポート面に一端側の周面が接し他端が前記テストヘッド本体に支持される柱状のサポート棒と
を具備したことを特徴とする請求項３記載のテストヘッド。
【請求項５】
前記ガイド・ストップ手段と前記テストヘッド本体との間に設けられ前記ガイド・ストップ手段をベースユニットの挿入をストップする状態に戻す初期状態復帰手段
を具備したことを特徴とする請求項１乃至請求項４の何れかに記載のテストヘッド。
【請求項６】
初期状態復帰手段は、前記支持シャフトの前記一端に一端が直交して接続された作用レバーと、
この作用レバーの他端に一端が接続され他端が前記テストヘッド本体に接続されたコイルスプリングと
を具備したことを特徴とする請求項５記載のテストヘッド。
【発明の詳細な説明】
【技術分野】
【０００１】
本発明は、メモリテスタに使用されるテストヘッドに関するものである。
更に詳述すれば、メモリテスタのテストヘッド本体にベースユニットを搭載する機構に関するもので、テストヘッド本体の両方向からベースユニットをスライドさせて搭載することが出来るようにした機構を有するテストヘッドに関するものである。
【背景技術】
【０００２】
従来は、ベースユニットをテストヘッド本体に搭載させる場合には、スライドガイド側よりスライドさせて挿入していた。
また、最終的に、ベースユニットをテストヘッド本体に装着するには、テストヘッド本体に設けられている昇降部を上下に動作させていた。
【０００３】
図９は従来より一般に使用されている従来例の構成説明図で、テストヘッド本体の概略構造図を以下に示す。（ａ）は平面図、（ｂ）は側面図、（ｃ）はＡ−Ａ断面図、（ｄ）はＢ−Ｂ断面図である。
【０００４】
図において、テストヘッド本体１には、ベースユニットをスライドさせて搭載するためのスライドガイド２、ベースユニットをテストヘッド本体１の定位置に止めるためのストッパ３が設けられている。
昇降部４は、上下して、ベースユニット２をテストヘッド本体１内に取り込む装置である。
【０００５】
以上の構成において、図１０に示す如く、ベースユニット６をテストヘッド本体１に搭載および装着する。その概略を図９（ｃ）をもとにして以下に示す。
（１）図１０（１）に示す如く、ベースユニット６をテストヘッド本体１のスライドガイド２側より入れる。ストッパ３までスライドさせて搭載する。
（２）図１０（２）に示す如く、ベースユニット６の足部６ａが、ストッパ３に接触するまでベースユニット６をスライドさせる。(搭載終了)
【０００６】
（３）図１０（３）に示す如く、ベースユニット２の搭載終了後、昇降部５が下がり、ベースユニット２をテストヘッド本体１内に取り込み、ベースユニット２のテストヘッド本体１への装着が終了する。(装着終了)
【先行技術文献】
【特許文献】
【０００７】
【特許文献１】特開２００３−１３０９１５号公報
【発明の概要】
【発明が解決しようとする課題】
【０００８】
テストヘッド本体１の片側に、ベースユニット６の固定用のストッパ３が設けられているので、ベースユニット６は一方向のみからの搭載となってしまい、操作が制限され、スペース効率が良好でない。
【０００９】
本発明の目的は、上記の課題を解決するもので、ベースユニットを、テストヘッド本体の両側方向からスライド可能にして、テストヘッド本体に搭載することができるテストヘッドを提供することにある。
【課題を解決するための手段】
【００１０】
このような課題を達成するために、本発明では、請求項１のテストヘッドにおいては、
ベースユニットがテストヘッド本体の昇降部に設けられたガイド部にスライドして取り付けられるテストヘッドにおいて、前記テストヘッド本体に前記ガイド部に対向して設けられ所定角度回動することによってベースユニットの挿入をガイドするあるいはベースユニットの挿入をストップするガイド・ストップ手段を具備したことを特徴とする。
【００１１】
本発明の請求項２のテストヘッドにおいては、請求項１記載のテストヘッドにおいて、
前記ガイド・ストップ手段は、前記テストヘッド本体に設けられたシャフト孔に一端側が回転自由に挿入された支持シャフトと、前記昇降部のガイド部に対向して設けられこの支持シャフトの他端に一端面が接続され他端面が前記ベースユニットのガイド面となる柱状のガイド部と、このガイド面より突出して設けられ前記ベースユニットのストッパとなる半月状の突起部と、前記ガイド部の前記一端面に設けられ前記昇降部に設けられたピンが挿入される位置規正孔とを具備したことを特徴とする。
【００１２】
本発明の請求項３のテストヘッドにおいては、請求項１又は請求項２記載のテストヘッドにおいて、
前記テストヘッド本体と前記ガイド部とに設けられ前記ガイド部の回動位置をサポートするサポート手段を具備したことを特徴とする。
【００１３】
本発明の請求項４のテストヘッドにおいては、請求項３記載のテストヘッドにおいて、
前記サポート手段は、前記ガイド部の前記突起部が設けられた箇所と反対側の周側面に設けられた平面状のサポート面と、このサポート面に一端側の周面が接し他端が前記テストヘッド本体に支持される柱状のサポート棒とを具備したことを特徴とする。
【００１４】
本発明の請求項５のテストヘッドにおいては、請求項１乃至請求項４の何れかに記載のテストヘッドにおいて、
前記ガイド・ストップ手段と前記テストヘッド本体との間に設けられ前記ガイド・ストップ手段をベースユニットの挿入をストップする状態に戻す初期状態復帰手段を具備したことを特徴とする。
【００１５】
本発明の請求項６のテストヘッドにおいては、請求項５記載のテストヘッドにおいて、
初期状態復帰手段は、前記支持シャフトの前記一端に一端が直交して接続された作用レバーと、この作用レバーの他端に一端が接続され他端が前記テストヘッド本体に接続されたコイルスプリングとを具備したことを特徴とする。
【発明の効果】
【００１６】
本発明の請求項１によれば、次のような効果がある。
ベースユニットを、テストヘッド本体の両側方向からスライドさせて、テストヘッド本体に搭載することができるようになり、操作性が向上されたテストヘッドが得られる。
【００１７】
本発明の請求項２によれば、次のような効果がある。
半月状の突起部と柱状のガイド部とを、回転と上下運動により、簡単に切り替えられるようにして、ベースユニットをテストヘッド本体の両側方向からスライド挿入出来るようにしたので、安価で操作性が向上されたテストヘッドが得られる。
【００１８】
本発明の請求項３によれば、次のような効果がある。
ガイド部の回動位置をサポートするサポート手段が設けられたので、回動位置を確実に保持できるテストヘッドが得られる。
【００１９】
本発明の請求項４によれば、次のような効果がある。
サポート面とテストヘッド本体に支持されるサポート棒とが設けられたので、サポートが強固で、回動位置を確実に保持できるテストヘッドが得られる。
【００２０】
本発明の請求項５によれば、次のような効果がある。
ガイド・ストップ手段の戻し忘れにより、ベースユニットをテストヘッド本体に搭載時の脱落を防止する事ができるテストヘッドが得られる。
【００２１】
本発明の請求項６によれば、次のような効果がある。
支持シャフトの一端に一端が直交して接続された作用レバーと、作用レバーの他端に一端が接続され他端がテストヘッド本体に接続されたコイルスプリングとが設けられたので、機構が簡潔であり、安価で、ベースユニットをテストヘッド本体に搭載時の脱落を防止する事ができるテストヘッドが得られる。
【図面の簡単な説明】
【００２２】
【図１】本発明の一実施例の要部構成説明図である。
【図２】図１の要部詳細説明図である。
【図３】図２の要部裏面説明図である。
【図４】図１の動作説明図である。
【図５】図１の動作説明図である。
【図６】図１の動作説明図である。
【図７】図１の動作説明図である。
【図８】図１の動作説明図である。
【図９】従来より一般に使用されている従来例の構成説明図である。
【図１０】図９の動作説明図である。
【発明を実施するための形態】
【００２３】
以下本発明を図面を用いて詳細に説明する。
図１は本発明の一実施例の要部構成説明図で、（ａ）は正面図、（ｂ）は平面図、（ｃ）は側面図、（ｄ）はＤ−Ｄ断面図、（ｅ）はＥ−Ｅ断面図、（ｂ）は平面図
図２は図１の要部詳細説明図で、（ａ）は正面図、（ｂ）は平面図、図３は図２の要部裏面説明図、図４から図８は図１の動作説明図で、（ａ）は正面図、（ｂ）は平面図である。
図において、図９と同一記号の構成は同一機能を表す。
以下、図９との相違部分のみ説明する。
【００２４】
ガイド・ストップ手段１１は、テストヘッド本体１２に昇降部４のガイド部４１に対向して設けられ、所定角度回動することによってベースユニット６の挿入をガイドする、あるいは、ベースユニット６の挿入をストップする。
この場合は、ガイド・ストップ手段１１は、支持シャフト１１１とガイド部１１２と突起部１１３と位置規正孔１１４とから構成される。
【００２５】
図２（ａ）に示す如く、支持シャフト１１１は、テストヘッド本体１２に設けられたシャフト孔１２１に一端側が回転自由に挿入されている。
ガイド部１１２は、昇降部のガイド部４１に対向して設けられ、支持シャフト１１１の他端に一端面１１２１が接続され、他端面１１２２がベースユニット６のガイド面となり柱状をなす。
【００２６】
突起部１１３は、ガイド部の他端面１１２２より突出して設けられ、ベースユニット６の挿入時のストッパとなり、半月状をなす。
図３に示す如く、位置規正孔１１４は、ガイド部１１２の一端面１１２１に設けられ、図２（ａ）に示す如く、昇降部４に設けられたピン４２が挿入される。
この場合は、図３に示す如く、位置規正孔１１４は、ガイド部１１２の回転中心０1を中心にして互いに９０度をなしている。
【００２７】
サポート手段１３は、テストヘッド本体１２とガイド部１１２とに設けられ、ガイド部１１２の回動位置をサポートする。
サポート手段１３は、サポート面１３１とサポート棒１３２とから構成される。
サポート面１３１は、ガイド部１１２の突起部１１３が設けられた箇所と反対側の周側面に平面状に設けられている。
サポート棒１３２は、サポート面１３１に一端側の周面が接し、他端がテストヘッド本体１２に支持されている。
【００２８】
次に、図２，図３に示す如く、ガイド・ストップ手段１１とサポート手段１３について説明する。
ガイド・ストップ手段１１において、支持シャフト１１１には圧縮バネ１１１１が設けられていて、ガイド・ストップ手段１１は所定量を上下する。
【００２９】
ガイド・ストップ手段１１は、昇降部４に設けられているピン４２によって、回動動作の位置決めが行なわれる。
ガイド・ストップ手段１１自体の回転動作範囲を規制する(回転方向を一定方向にする)為にサポート手段１３が設けられている。
【００３０】
以上の構成において、図４に示す如く、ベースユニット６をテストヘッド本体１２に搭載させるための、ガイド・ストップ手段１１の「ストッパー機能状態」から「ガイド機能状態」への動作について説明する。（ａ）は正面図、（ｂ）は平面図である。
【００３１】
図４（１）は、イニシャル状態（通常の状態＝ストッパー機能状態）である。
ストッパー機能状態では、突起部１１３が邪魔になって、ベースユニット６をテストヘッド本体１２にスライド搭載できない
位置規正孔１１４の一方にピン４２が挿入されていて、ガイド部１１２は位置決めされている。
【００３２】
図４（２）に示す如く、ガイド部１１２を、手動にて持ち上げる。
図４（３）に示す如く、持ち上げた状態でガイド部１１２を９０°回転させる。
図４（４）に示す如く、回転後にガイド部１１２を下げる。（ガイド機能状態）
【００３３】
ガイド機能状態では、突起部１１３は回動し、ガイド部１１２の他端面１１２２が、昇降部４のガイド部４１に対向して配置されることになり、ベースユニット６をテストヘッド本体１２にスライド搭載できるようになる。
位置規正孔１１４の他方にピン４２が挿入されて、ガイド部１１２は９０°回転して位置決め配置されている。
【００３４】
次に、図５に示す如く、テストヘッド本体１２に配置されたガイド・ストップ手段１１のＢ部分またはＣ部分の一方のみを、「ストッパー機能状態」から「ガイド機能状態」への動作を完了させた場合について説明する。（ａ）は正面図、（ｂ）は平面図である。
図５の状態では、ガイド・ストップ手段１１は、全て「ストッパー機能状態」にあり、両側共に突起部１１３がある為に、ベースユニット６をスライドさせる事が出来ない。
【００３５】
次に、ベースユニット６を、テストヘッド本体１２の上部に、ガイド・ストップ手段１１を「ストッパー機能状態」から「ガイド機能状態」へ動作を完了させた側からスライド挿入し、「ストッパー機能状態］の他のガイド・ストップ手段１１までスライドさせ、「ストッパー機能状態］の他のガイド・ストップ手段１１に突き当てて搭載する。
具体的には、図６，図７に示す。
【００３６】
図６に示す如く、図５のＢ部側より、実際にベースユニット６をテストヘッド本体１２にスライド挿入させた場合について説明する。（ａ）は正面図、（ｂ）は平面図である。
（１）ベースユニット６をテストヘッド本体１２のスライド位置にセットする。
（２）図５のＢ部側のガイド・ストップ手段１１を「ガイド機能状態」への動作を完了させる。
（３）ベースユニット６をスライドさせてテストヘッド本体１２に搭載する。
（４）搭載終了後、ベースユニット６がテストヘッド本体の昇降部４により下がり、装着終了となる。
【００３７】
図７に示す如く、図５のＣ部側より、実際にベースユニット６をテストヘッド本体１２にスライド挿入させた場合について説明する。（ａ）は正面図、（ｂ）は平面図である。
（１）ベースユニット６をテストヘッド本体１２のスライド位置にセットする。
（２）図５のＣ部側のガイド・ストップ手段１１を「ガイド機能状態」へ動作を完了させる。
（３）ベースユニット６をスライドさせてテストヘッド本体１２に搭載する。
（４）搭載終了後、ベースユニット６がテストヘッド本体の昇降部４により下がり、装着終了となる。
【００３８】
図８に示す如く、初期状態復帰手段１４は、ガイド・ストップ手段１１を初期状態、即ち、ベースユニット６の挿入をストップする状態に戻す。
即ち、「ガイド機能状態」から「ストッパー機能状態］へ戻す機能を有する。（ａ）は正面図、（ｂ）は平面図である。
この場合は、初期状態復帰手段１４は、支持シャフト１１１の一端に一端が直交して接続された作用レバー１４１と、作用レバー１４１の他端に一端が接続され、他端がテストヘッド本体１２に接続されたコイルスプリング１４２とを有する。
【００３９】
以上の構成において、その動作を説明する。
図８（１）は、ガイド・ストップ手段１１が、初期状態の「ストッパー機能状態」、即ち、ベースユニット６の挿入をストップする状態にする。
【００４０】
図８（２）は、ガイド・ストップ手段１１を、図４（ｂ）に示す如く、ガイド・ストップ手段１１を手動にて持ち上げて９０度回転させ、回転後、ガイド・ストップ手段１１を下げて、ガイド・ストップ手段１１が、「ガイド機能状態」、即ち、ベースユニット６の挿入可能状態にする。コイルスプリング１４２は伸びた状態になる。
図８（３）は、昇降部４が下がると、ピン４２が下がり、位置規正孔１１４よりピン４２が外れ、コイルスプリング１４２は初期状態に戻る。
【００４１】
この結果、
ベースユニット６を、テストヘッド本体１２の両側方向からスライドさせて、テストヘッド本体１２に搭載することができるようになり、操作性が向上されたテストヘッドが得られる。
【００４２】
半月状の突起部１１３と柱状のガイド部１１２とを、回転と上下運動により、「ストッパー機能状態」と「ガイド機能状態」とを、簡単に切り替えられるようにして、ベースユニット６をテストヘッド本体１２の両側方向からスライド挿入出来るようにしたので、安価で操作性が向上されたテストヘッドが得られる。
【００４３】
ガイド部１１２の回動位置をサポートするサポート手段１３が設けられたので、回動位置を確実に保持できるテストヘッドが得られる。
【００４４】
サポート面１３１とテストヘッド本体に支持されるサポート棒１３２とが設けられたので、サポートが強固で、回動位置を確実に保持できるテストヘッドが得られる。
【００４５】
ガイド・ストップ手段１１の戻し忘れにより、ベースユニット６をテストヘッド本体１２に搭載時の脱落を防止する事ができるテストヘッドが得られる。
【００４６】
支持シャフト１１１の一端に一端が直交して接続された作用レバー１４１と、作用レバー１４１の他端に一端が接続され他端がテストヘッド本体１２に接続されたコイルスプリング１４２とが設けられたので、機構が簡潔であり、安価で、ベースユニットをテストヘッド本体１２に搭載時の脱落を防止する事ができるテストヘッドが得られる。
【００４７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００４８】
１        テストヘッド本体
２        スライドガイド
３        ストッパ
４        昇降部
４１      ガイド部
４２      ピン
６        ベースユニット
６ａ      足部
１１      ガイド・ストップ手段
１１１    支持シャフト
１１１１  圧縮バネ
１１２    ガイド部
１１２１  一端面
１１２２  他端面
１１３    突起部
１１４    位置規正孔
１２      テストヘッド本体
１２１    シャフト孔
１３      サポート手段
１３１    サポート面
１３２    サポート棒
１４      初期状態復帰手段
１４１    作用レバー
１４２    コイルスプリング
０1       回転中心
【図１】
2010169399.tif 000003
【図２】
2010169399.tif 000004
【図３】
2010169399.tif 000005
【図４】
2010169399.tif 000006
【図５】
2010169399.tif 000007
【図６】
2010169399.tif 000008
【図７】
2010169399.tif 000009
【図８】
2010169399.tif 000010
【図９】
2010169399.tif 000011
【図１０】
2010169399.tif 000012